(57)【特許請求の範囲】
【請求項１】
共同受信信号が供給される入力端子と、
この入力端子から供給された共同受信信号を増幅する第１の増幅手段と、
第１の増幅手段の出力信号が供給される分岐手段と、
この分岐手段の出力信号が供給される出力端子と、
前記分岐手段の分岐出力信号が供給される分岐・分配切換手段と、
この分岐・分配切換手段の出力信号がそれぞれ分配された複数の分岐端子とを、
有し、前記分岐・分配切換手段は、
前記分岐手段の分岐出力信号を増幅して出力する増幅状態または前記分岐手段の分岐出力信号をそのまま通過させる通過状態のいずれかとする第１の切換手段と、
この第１の切換手段の出力信号を増幅して、前記各分岐端子に供給する第２の増幅手段と、
第１の切換手段が前記増幅状態のとき前記第２の増幅手段の出力信号をそのまま通過させる通過状態に、第１の切換手段が前記通過状態のとき前記第２の増幅手段の出力信号を減衰させる減衰状態に切り換える第２の切換手段とを、
有する共同受信システム用増幅器。
【請求項２】
請求項１記載の共同受信システム用増幅器において、前記入力端子と前記分岐手段との間に、前記共同受信信号にチルト特性を持たせる周波数調整手段が設けられ、第２の切換手段は、前記減衰状態において、前記チルト特性と逆の逆チルト特性を有する共同受信システム用増幅器。
【発明の詳細な説明】
【技術分野】
【０００１】
本発明は、共同受信システムにおいて使用される増幅器に関し、特に、幹線分岐増幅器（以下、ＴＢＡと称する）及び幹線分配増幅器（以下、ＴＤＡと称する）のいずれかとして使用することができるものに関する。
【背景技術】
【０００２】
ＴＤＡ及びＴＢＡ双方の機能を備えた共同受信システム用増幅器が、特許文献１に開示されている。特許文献１の技術では、入力端子から供給されたテレビジョン放送信号を第１の増幅器によって増幅し、その増幅出力を１分岐器に供給する。１分岐器の出力が出力端子に供給され、１分岐器の分岐出力が第２の増幅器で増幅された後、別の１分岐器に供給される。この別の１分岐器の出力が、可変減衰器によって減衰された後、低歪み分岐出力として２分配器で２分配されて、２つの分岐端子に供給される。この別の１分岐器の分岐出力が第３の増幅器によって増幅され、その増幅出力が高利得分岐出力として別の２分配器で２分配され、別の２つの分岐端子に供給される。低歪み分岐出力が、ＴＤＡのＤＡ出力として、出力され、高利得分岐出力が、ＴＢＡのＢＡ出力として出力されている。
【先行技術文献】
【特許文献】
【０００３】
【特許文献１】実用新案登録第２６０５９３５号公報
【発明の概要】
【発明が解決しようとする課題】
【０００４】
特許文献１の技術によれば、１台の共同受信システム用増幅器を、ＴＢＡ及びＴＤＡとして同時に動作させることができるが、１台でＴＢＡ及びＴＤＡとして使用する必要性があることは稀で、ＴＢＡ及びＴＤＡとして個別に使用することが多い。ところで、ＴＤＡは、ＴＢＡと比較して、共同受信システムにおいて使用される頻度が少なく、ＴＤＡを単独で製造すると、その製造コストが割高になる。ＴＤＡ及びＴＢＡの基本構成は、幹線増幅器の出力を分岐器によって分岐し、その分岐出力を分配器によって複数の分岐端子に分配するという点で共通している。なお、ＴＤＡは、各分岐端子の分岐出力を幹線系の出力とほぼ同等の信号品質で、かつ幹線系の出力の１／２スパン分の出力を可能とする必要があるのに対し、ＴＢＡは、その分岐出力がタップオフを介して直接に共同受信システムの加入者に分配できるように高出力とする必要がある。
【０００５】
本発明は、ＴＤＡ及びＴＢＡのいずれか選択されたものとして使用可能な共同受信システム用増幅器を提供することを目的とする。
【課題を解決するための手段】
【０００６】
本発明の一態様の共同受信システム用増幅器は、共同受信信号が供給される入力端子を有している。この入力端子から供給された共同受信信号を第１の増幅手段が増幅する。第１の増幅手段の出力信号が分岐手段に供給される。この分岐手段の出力信号が出力端子に供給される。この出力端子が、いわゆる幹線出力端子となる。前記分岐手段の分岐出力信号が分岐・分配切換手段に供給される。この分岐・分配切換手段の出力信号がそれぞれ複数の分岐端子に分配される。この分配には、分配手段を使用することができる。前記分岐・分配切換手段は、前記分岐手段の分岐出力信号を増幅して出力する増幅状態または前記分岐手段の分岐出力信号をそのまま通過させる通過状態のいずれかとする第１の切換手段を有している。この第１の切換手段の出力信号を第２の増幅手段が増幅して、前記各分岐端子に供給する。
【０００８】
前記分岐・分配切換手段は、前記第２の増幅手段の出力信号をそのまま通過させる通過状態と、前記第２の増幅手段の出力信号を減衰させる減衰状態とのいずれかに切り換える第２の切換手段を有するものにすることができる。第２の切換手段は、第１の切換手段が前記増幅状態のとき通過状態に切り換えられ、第１の切換手段が前記通過状態のとき前記第２の増幅手段の出力信号を減衰させる減衰状態とに切り換えられる。
【０００９】
さらに、前記入力端子と前記分岐手段との間に、前記共同受信信号にチルト特性を持たせる周波数調整手段が設けられている場合、第２の切換手段は、前記減衰状態において、前記チルト特性と逆の逆チルト特性を有することができる。共同受信システム用増幅器では、その出力にチルト特性を持たせるために、周波数調整手段が設けられるが、ＴＤＡの分岐出力は周波数特性が平坦であることが望ましく、逆のチルト特性を持たせる必要がある。そこで、分岐端子の出力を低下させる際に、第２の切換手段によって逆のチルト特性を持たせている。
【発明の効果】
【００１０】
以上のように、本発明によれば、１台の共同受信システム用増幅器を、ＴＢＡ及びＴＤＡのうち選択されたものとして使用することができる。
【図面の簡単な説明】
【００１１】
【図１】本発明の第１の実施形態の共同受信システム用増幅器のブロック図である。
【図２】図１の共同受信システム増幅器の周波数特性を示す図である。
【図３】図１の共同受信システム用増幅器のＴＤＡとしての使用状態を示すブロック図である。
【図４】図１の共同受信システム用増幅器のＴＢＡとしての使用状態を示すブロック図である。
【発明を実施するための形態】
【００１２】
本発明の１実施形態の共同受信システム用増幅器１は、図１に示すように入力端子２を有している。入力端子２には、共同受信システムの幹線を介して例えば７０乃至７７０ＭＨｚの共同受信信号が供給されている。この入力端子２に供給された共同受信信号は、フィルタ手段、例えばハイパスフィルタ４及び擬似線路網（ＢＯＮ）６を介して第１の増幅手段８に供給される。ハイパスフィルタ４は共同受信信号に含まれる不要な信号成分を除去するためのものである。擬似線路網６は、入力端子２に共同受信信号を伝送する伝送線路の長さが、予め規定された長さと異なって、入力端子２に供給される共同受信信号のレベルが規定入力レベルと異なる場合、この規定入力レベルに第１の増幅手段の入力レベルを一致させるためのものである。
【００１３】
第１の増幅手段８に供給された共同受信信号は、７０乃至７７０ＭＨｚの帯域において平坦な周波数特性を有しているので、周波数調整手段、例えばイコライザー（ＥＱ）１０が共同受信信号にチルト特性を持たせている。その結果、イコライザー１０の出力は、７７０ＭＨｚの方が７０ＭＨｚよりもレベルが高くされている。このイコライザー１０の出力は、２段の増幅器１２、１４によって増幅される。後段の増幅器１４の出力は、ゲインコントローラ１６でレベル調整された後、イコライザー１８によって更にチルト特性が持たされて、増幅器２０に供給される。増幅器２０の出力は１分岐器２２に供給され、その分岐出力が自動利得制御回路（ＡＧＣ）２４に供給される。自動利得制御回路２４が、ゲインコントローラ１６のゲインを調整し、増幅器２０の出力が予め定めたレベルとされる。
【００１４】
１分岐器２２の出力、即ち第１の増幅手段８の出力は、分岐手段、例えば１分岐器２６に供給される。１分岐器２６の出力は、フィルタ手段、例えばハイパスフィルタ２８によって不要な信号成分が除去された後、出力端子、例えば幹線出力端子３０に供給される。
【００１５】
１分岐器２６の分岐出力は、分岐・分配切換手段（ＢＡ・ＤＡ切換手段）３２に供給される。この分岐・分配切換手段３２の出力は、分配手段、例えば２分配器３４によって２分配される。この２分配器３４の各分配出力は、２分配器３６、３８によってそれぞれ２分配される。これら２分配器３６、３８の各分配出力は、フィルタ手段、例えばハイパスフィルタ４２、４４、４６、４８によって不要な信号成分が除去された後、各分岐端子５０、５２、５４、５６にそれぞれ供給される。
【００１６】
分岐・分配切換手段３２は、１分岐器２６の分岐出力が供給される第１の切換手段５８を有している。第１の切換手段５８では、増幅器６０と、通過路（ＰＡＳＳ）６２とが並列に接続されている。これら増幅器６０の入力側と通過路６２の入力側のいずれかをスイッチ６４が選択して、１分岐器２６の分岐出力を供給する。増幅器６０と通過路６２の出力のいずれかをスイッチ６６が選択して出力する。
【００１７】
スイッチ６６によって選択された増幅器６０または通過路６２の出力、即ち第１の切換手段５８の出力は、第２の増幅手段、例えば増幅器６７によって増幅され、第２の切換手段６８に供給される。
【００１８】
第２の切換手段６８では、通過路７０と、減衰手段または逆チルトを持たせる周波数調整手段、例えばイコライザー７２とが並列に接続されている。これら通過路７０の入力側とイコライザー７２の入力側とのいずれかをスイッチ７４が選択して、選択されたものに、増幅器６０によって増幅された出力を供給する。また通過路７０の出力側とイコライザー７２の出力側とのいずれかをスイッチ７６が選択して、２分配器３４に供給する。
【００１９】
このように構成された共同受信用増幅器１をＴＤＡとして使用する場合には、第１の切換手段５８において通過路６２が選択されるようにスイッチ６４、６６を切り換え、第２の切換手段６８において通過路７０が選択されるように、スイッチ７４、７６を切り換える。これによって、１分岐器２６の分岐出力は、通過路６２を介して増幅器６７によって増幅される。ここで、増幅器６７の利得は、幹線出力端子３０に生じている幹線出力（ＴＡ）のレベルと、増幅器６７の出力をそのまま２分配器３４、３６、３８で分配したとき、各分岐端子５０、５２、５４、５６に生じる分岐出力（ＤＡ’）がほぼ同一となるように設定されている（図２参照）。
【００２０】
従来のＴＤＡでは、ＤＡ出力を７０ＭＨｚ乃至７７０ＭＨｚの周波数帯において平坦な周波数特性を持ち、かつ上述したようにＴＡ出力の１／２スパン分の出力となるように、幹線系の増幅器の最終段から信号を分岐させ、ハーフチルト特性を持たせるために分岐信号の高い周波数を減衰させるイコライザーを設け、そのイコライザーの出力を増幅していた（図１で言えば、１分岐器２６の分岐出力をハーフチルト特性を有するイコライザーに供給し、そのイコライザーの出力を増幅器６７で増幅し、２分配器３４に供給していた）。しかし、この構成では、ＤＡ出力の雑音指数が悪化し、ＴＡ出力よりも数ｄＢ雑音指数が悪化していた。
【００２１】
これに対し、上述した構成では、イコライザーを介さずに１分岐器２６の分岐出力を増幅器６７で増幅しているので、ＤＡの雑音指数が悪化することはない。但し、分岐端子５０、５２、５４、５６には、上述したようにＴＡとほぼ同一レベルのＤＡ’出力が生じる。従って、図３に示すように、各分岐端子５０、５２、５４、５６に分岐増幅器７８を接続した場合、これら分岐増幅器７８は、従来の分岐出力レベルを有するＴＤＡが接続されるものとして設計されているので、これら分岐増幅器７８は過入力となる。この過入力を解消するために、これら分岐増幅器７８が備える擬似線路網を交換する必要がある。しかし、このような擬似線路網の減衰量は大きく、分岐増幅器７８内に設置することが難しく、また設置できたとしても分岐増幅器７８の特性を劣化させやすい。
【００２２】
そこで、この共同受信用増幅器１では、増幅器６７の出力を直接に２分配器３４に供給するのではなく、第２の切換手段６８において増幅器６７の出力をイコライザー７２を通過させることによって７０乃至７７０ＭＨｚの全体において減衰させ、かつ高い周波数での減衰を大きくして、分配器３４に供給している。その結果、各分岐端子５０、５２、５４、５６での分岐出力は、図２にＤＡで示すように７０乃至７７０ＭＨｚにおいて平坦な周波数特性となり、かつ高い周波数においてＴＡの約１／２のレベルとなる。なお、イコライザー７２に代えて擬似線路網を使用することもできる。
【００２３】
共同受信用増幅器１をＴＢＡとして使用する場合には、第１の切換手段５８において増幅器６０が選択されるようにスイッチ６４、６６を切り換え、第２の切換手段６８において通過路７０が選択されるように、スイッチ７４、７６を切り換える。これによって、１分岐器２６の分岐出力は、増幅器６０、６７の２段によって増幅される。その結果、各分岐端子５０、５２、５４、５６には、図２にＢＡで示すようにＴＡよりも大きなレベルを有する分岐出力が生じる。従って、図４に示すように、各分岐端子５０、５２、５４、５６にはタップオフ８２を介して各家庭内のテレビジョン受信機（図示せず）に共同受信信号を供給することができる。
【００２４】
上記の実施形態では、第１の切換手段５８では、スイッチ６４、６６によって増幅器６０と通過路６２とを切り換えるように構成したが、スイッチ６４、６６を除去し、プラグイン方式に増幅器６０と通過路６２とを構成し、いずれか一方のみを設置するように構成することもできる、第２の切換手段６８においても同様で、スイッチ７４、７６を除去し、通過路７０とイコライザー７３をプラグイン方式で構成し、いずれか一方のみを設置するように構成することができる。また、上記の実施形態では、分岐端子５０、５２、５４、５６の４つの分岐端子を備えたものを示したが、これに限ったものではなく、分岐端子の数は、複数であれば任意の数とすることができる。上記の実施形態では、第１の増幅手段８は増幅器１２、１４、２０、ゲインコントローラ１６、自動利得制御回路２４、イコライザー１０、１８を備えたものとしたが、この構成に限ったものではなく、共同受信信号を所定のレベルに増幅することが可能なものであれば、種々の構成のものを使用することができる。例えばイコライザー１０、１８は、いずれか一方のみを使用することができるし、ゲインコントローラ１６、自動利得制御回路２４を除去して、固定利得の増幅器とすることもできる。
【符号の説明】
【００２５】
１  共同受信用増幅器
２  入力端子
８  第１の増幅手段
２６  １分岐器
３２  分岐・分配切換手段
５０  ５２  ５４  ５６  分岐端子
５８  第１の切換手段
６７  増幅器（第２の増幅手段）
６８  第２の切換手段
【図１】
0005769977.tif 000002
【図２】
0005769977.tif 000003
【図３】
0005769977.tif 000004
【図４】
0005769977.tif 000005